(57)【要約】【課題】本発明は、フリ−アクセスフロアを構成する有孔床パネルを種々形態の異なる支持体に迅速かつ強固に作業能率よく固定せしめることが出来る、フリ−アクセスフロア用有孔床パネルの固定装置を提供するものである。【解決手段】フリ−アクセスフロアを構成する有孔床パネル９の空気通風口１０に挿入掛止せしめるべく上端部に掛止用フランジ２ａ・２ｂを備えた筒状本体１と、該筒状本体１に上下動自在に遊挿されると共に付勢バネ４を介して常時上方に付勢せしめられてなる作動軸３と、該作動軸３の下端に直交して外方突出状に形成された掛止片７とよりなり、上記筒状本体１を空気通風口１０に挿入掛止せしめ、作動軸３を付勢バネ４の付勢に抗して下方に押圧せしめつつ掛止片７を有孔床パネル９の支持体１１に掛止せしめると共に、掛止片７を付勢バネ４の付勢力により常時上方に付勢して固定せしめるべく構成されている。【選択図】図２
2009079444.tif 000002
【特許請求の範囲】
【請求項１】
フリ−アクセスフロアを構成する有孔床パネルの空気通風口に挿入掛止せしめるべく上
端部に掛止用フランジを備えた所要長の筒状本体と、該筒状本体に上下動自在に遊挿され
ると共に付勢バネを介して常時上方に付勢せしめられてなる作動軸と、該作動軸の下端に
直交して外方突出状に形成された掛止片とよりなり、上記筒状本体を有孔床パネルの空気
通風口に挿入掛止せしめ、作動軸を付勢バネの付勢に抗して下方に押圧作動せしめつつ掛
止片を有孔床パネルの支持体に掛止せしめると共に、掛止片を付勢バネの付勢力により常
時上方に付勢して固定せしめるべく構成されてなることを特徴とする、フリ−アクセスフ
ロア用有孔床パネルの固定装置。
【請求項２】
掛止片にスベリ止め材が取付けられてなることを特徴とする、請求項１記載のフリ−ア
クセスフロア用有孔床パネルの固定装置。
【発明の詳細な説明】
【技術分野】
【０００１】
本発明は、半導体製造工場などのクリ−ンル−ムやコンピュ−タ−センタ−などのフリ
−アクセスフロアを構成する有孔床パネルの固定装置に関する。
【背景技術】
【０００２】
従来より、例えば、半導体を用いた装置などを製造するさいに使用するクリ−ンル−ム
は、天井側と床側とのどちらか一方に空気吹出孔を設けると共に、他方に空気吸込孔を設
け、空気を上下方向に流通せしめつつ室内の清浄化を図るように構成されている。
そして、上記クリ−ンル−ムは、通常、床をフリ−アクセスフロアとよばれる二重床構
造、即ち、有孔下床の上に設置されたＨ型鋼や角パイプなどの支持体上に多数の空気通風
口を有する有孔床パネルを敷設せしめることにより構築されている。
【０００３】
ところで、有孔床パネルを単に支持体上に載置支持せしめたさいには、大きな揺れを伴
う地震等が発生した場合には製造装置が倒れてしまう可能性があるのみならず、近くで作
業するものにとっては非常に危険である。
このため、クリ−ンル−ムを構成する有孔床パネルを支持体に固定せしめるものとして
、例えば、特開平９−１２５６６３号公報には、有孔床パネルの空気通風口に挿通掛止自
在とされた頭付き固定ボルトと、該固定ボルトの先端に略直交状に螺着自在とされた支持
体用掛止片とより構成された有孔床パネルの固定装置が提案されている。
そして、上述の如く構成された従来例は、固定ボルトを有孔床パネルの空気通風口に挿
通せしめてその頭を空気通風口縁に掛止せしめると共に、固定ボルトの先部にナットを介
して掛止片を略直交状に螺着せしめ、しかるのち、固定ボルトを所定方向に回動せしめつ
つ掛止片を支持体に圧接掛止して固定するものとされている。
【特許文献１】特開平９−１２５６６３号公報
【発明の開示】
【発明が解決しようとする課題】
【０００４】
ところで、上述の如く構成された従来例は、以下の問題点を有するものである。
先ず第１に、固定ボルトを有孔床パネルの空気通風口に挿通掛止せしめ、その先部に掛
止片をナットでもって螺着せしめたのち、支持体に圧接掛止して固定せしめるものである
から、固定作業時には一々有孔床パネルを持ち上げて固定ボルトと共に掛止片をセットし
なければならず、ひいては、固定作業が非常に面倒で手間がかかり、極めて作業能率の悪
いものである。
第２に、固定ボルトを回動せしめつつ掛止片を支持体に圧接状に掛止せしめるものであ
るから、その固定力が不十分となりやすく、必ずしも満足し得ないものである。
第３に、掛止片は種々形態の異なる支持体に応じて螺着位置を調整せしめつつ固定ボル
トに螺着せしめなければならないものであるから、その螺着作業が非常に面倒で煩しいの
みならず、適正位置に螺着せしめずらいものである。
【０００５】
本発明は従来の問題点を解決し、クリ−ンル−ムやコンピュ−タ−センタ−などのフリ
−アクセスフロアを構成する有孔床パネルを種々形態の異なる支持体に迅速、かつ確実に
、しかも強固に作業能率よく固定せしめることが出来る、フリ−アクセスフロア用有孔床
パネルの固定装置を提供しようとするものである。
【課題を解決するための手段】
【０００６】
上記の目的を達成するため、本発明の請求項１記載の発明は、フリ−アクセスフロアを
構成する有孔床パネルの空気通風口に挿入掛止せしめるべく上端部に掛止用フランジを備
えた所要長の筒状本体と、該筒状本体に上下動自在に遊挿されると共に付勢バネを介して
常時上方に付勢せしめられてなる作動軸と、該作動軸の下端に直交して外方突出状に形成
された掛止片とよりなり、上記筒状本体を有孔床パネルの空気通風口に挿入掛止せしめ、
作動軸を付勢バネの付勢に抗して下方に押圧作動せしめつつ掛止片を有孔床パネルの支持
体に掛止せしめると共に、掛止片を付勢バネの付勢力により常時上方に付勢して固定せし
めるべく構成されてなることを特徴とする、フリ−アクセスフロア用有孔床パネルの固定
装置を要旨とするものである。
【０００７】
本発明の請求項２記載の発明は、掛止片にスベリ止め材が取付けられてなることを特徴
とする、請求項１記載のフリ−アクセスフロア用有孔床パネルの固定装置を要旨とするも
のである。               
【発明の効果】
【０００８】
本発明の請求項１記載の発明は上述のように構成されているから、筒状本体を有孔床パ
ネルの空気通風口に挿入掛止せしめ、作動軸を付勢バネの付勢に抗して下方に押圧作動せ
しめつつ掛止片を有孔床パネルの支持体に掛止せしめると共に、掛止片を付勢バネの付勢
力により常時上方に付勢して固定せしめるという簡単な操作でもって、有孔床パネルを種
々形態の異なる支持体に迅速、かつ確実に、しかも強固に作業能率よく固定せしめることが出来るものである。                  
【０００９】
本発明の請求項２記載の発明は上述のように構成されているから、掛止片を支持体に掛
止せしめたさいにはそのスベリを確実に防止せしめることが出来るものであって、ひいて
は、掛止片の固定力を一層アップせしめることが出来るものである。
【発明を実施するための最良の形態】
【００１０】
以下に、本発明を実施するための最良の形態を図面に示す一実施例に基づいて詳細に説明する。
【００１１】
図１乃至図５は本発明の一実施例を示すもので、同図中、１は後記する有孔床パネル９
の空気通風口１０に挿入掛止自在とされた所要の長さを有する筒状本体、２ａは空気通風
口１０の上端口縁に掛止せしめるべく該筒状本体１の上端部に環状形成された掛止用フラ
ンジ、３は上記筒状本体１内に上下動自在に遊挿されると共に付勢バネ４を介して常時上
方に付勢せしめられてなる所要長の作動軸、５は該作動軸３の上端部に形成された十字形
溝６付き頭部、７は後記する支持体１１の上端エッジ１２に掛止せしめるべく作動軸３の
下端部に直交して外方突出状に形成された所要長の掛止片で、該掛止片７は作動軸３を介
して付勢バネ４により常時上方に付勢せしめられている。８は上記掛止片７に外嵌状に嵌
着された合成樹脂製スベリ止め材である。
その他、９はフリ−アクセスフロアを構成する方形体状の金属製有孔床パネル、１０は
該有孔床パネル９の全面にわたって所定ピッチ毎に形成された円孔状の空気通風口で、上
記有孔床パネル９は有孔下床上に設置せしめたＨ型鋼製支持体１１上に係合突起１４付き
載置台１３を介して敷設状に載置支持せしめるものとされている。
【００１２】
次に、上述の如く構成された実施例の作動について説明する。
先ず、支持体１１上に載置支持せしめた各有孔床パネル９の所要の空気通風口１０内に
掛止片７を挿通せしめつつ順次筒状本体１を挿入せしめ、掛止用フランジ２ａを空気通風
口１０の口縁に掛止せしめる（図４参照）。しかるのち、外方より頭部５の十字形溝６に
ドライバ−など所要の工具を当てがいつつ、作動軸３を付勢バネ４の付勢に抗して下方に
押圧せしめ、掛止片７と共に下降作動せしめる。そして、掛止片７がＨ型鋼製支持体１１
の上部エッジ１２に対応する地点に達した時点で下降作動を停止せしめると共に、作動軸
３を介して掛止片７を所定方向に回動せしめ、支持体１１の上端エッジ１２に掛止せしめ
たのち、作動軸３を介して掛止片７を付勢バネ４の付勢力により上方に付勢せしめつつ圧
接固定せしめる（図５参照）。このさい、掛止片７にはスベリ止め材８が嵌着されている
から、掛止片７のスベリを有効に防止せしめ、掛止片７の固定力を一層アップせしめるこ
とが出来る。  
【００１３】
図６及び図７は本発明の他の実施例を示すもので、長孔状の空気通風口を備えた有孔床
パネルを固定せしめるべく掛止用フランジ２ｂが長尺板状に形成されると共に、その自由
端に掛止片１５が切欠き状に折曲形成された点が前記実施例と相違し、他の部分は同一で
あり、同一符号は同一部分を示す。
【００１４】
そして、上述の如く構成された実施例は、有孔床パネルの長孔状空気通風口に筒状本体
１を挿入せしめると共に、長尺板状の掛止用フランジ２ｂを空気通風口縁に掛止せしめる
。しかるのち、前記実施例と同様に作動軸３を付勢バネ４の付勢に抗して下方に押圧作動
せしめつつ、掛止片７を支持体１１の上端エッジ１２に掛止せしめたのち、掛止片７を付勢バネ４の付勢力により上方に付勢して圧接固定せしめるものである。
【００１５】
なお、上記実施例において、有孔床パネル９の支持体１１としてＨ型鋼が示されている
が、これに限定されるものでなく、角形パイプなど公知の支持体を使用することが出来る
ものである。そして、支持体としてかかる角パイプを使用する場合には、掛止片７を角パ
イプの下端縁に掛止せしめるべく付勢バネ４の付勢に抗して作動軸３を下方に押圧せしめ
、適正位置に下降作動せしめるとよい。
【図面の簡単な説明】
【００１６】
【図１】本発明の一実施例を示す斜視図である。
【図２】本発明の一実施例を示す縦断面図である。
【図３】実施例の使用状態を示す斜視図である。
【図４】実施例の筒状本体１を有孔床パネル９の空気通風口１０に挿入掛止せしめた状態を示す拡大断面図である。
【図５】実施例の掛止片７を支持体１１の上端エッジ１２に付勢バネ４を介して圧接状に掛止固定せしめた状態を示す拡大断面図である。
【図６】本発明の他の実施例を示す斜視図である。
【図７】本発明の他の実施例を示す縦断面図である。
【符号の説明】
【００１７】
１    筒状本体
２ａ・２ｂ  掛止用フランジ
３    作動軸
４    付勢バネ
７    掛止片
８    スベリ止め材
９    有孔床パネル
１０  空気通風口
１１  支持体
【図１】
2009079444.tif 000003
【図２】
2009079444.tif 000004
【図３】
2009079444.tif 000005
【図４】
2009079444.tif 000006
【図５】
2009079444.tif 000007
【図６】
2009079444.tif 000008
【図７】
2009079444.tif 000009